(57)【要約】【課題】ガス絶縁開閉装置内のガスの漏出を防止するシール材が接地端子部のボルによって損傷させられるのを防止し、そのシール材の損傷に起因するガスの漏出を防止する。【解決手段】ガス絶縁開閉装置１の容器４内に引き込まれた第１乃至第３の架空送電線のそれぞれに対応して設けられた第１乃至第３接地端子部５が容器４の外部に配置されている。第１乃至第３接地端子部５は、これら各接地端子部５を接続する接地板３がボルト７で着脱可能に固定され、ボルト７の螺合部からのガスの漏出を防止するシール材８が配置され、接地板３及び接地板３に接続されたアース線で接地される。接地板３は、導電性金属で形成された接地板支持体６が各接地端子部５に対応して固定手段１０によって着脱可能に固定され、接地板支持体６がボルト７によって各接地端子部５に固定されることにより、接地板支持体６を介して各接地端子部５にボルト７で固定されている。【選択図】図１
2020124000.tif 000002
【特許請求の範囲】
【請求項１】
ガス絶縁開閉装置の容器内に引き込まれた第１乃至第３の架空送電線のそれぞれに対応して設けられた第１乃至第３接地端子部が前記容器の外部に配置され、
前記第１乃至第３接地端子部は、これら第１乃至第３接地端子部を接続する接地板がボルトで着脱可能に固定され、前記ボルトの螺合部からのガスの漏出を防止するシール材が配置され、前記接地板及び前記接地板に接続されたアース線で接地される、
ガス絶縁開閉装置の外部接地端子構造において、
前記接地板は、導電性金属で形成された接地板支持体が前記第１乃至第３接地端子部に対応して固定手段によって着脱可能に固定され、前記接地板支持体が前記ボルトによって前記第１乃至第３接地端子部に固定されることにより、前記接地板支持体を介して前記第１乃至第３接地端子部に前記ボルトで固定された、
ことを特徴とするガス絶縁開閉装置の外部接地端子構造。
【請求項２】
前記接地板支持体には、導電性金属で形成されたアース線接続軸が設けられ、
ことを特徴とする請求項１に記載のガス絶縁開閉装置の外部接地端子構造。
【請求項３】
前記アース線接続軸は、軸部の先端に前記軸部よりも大径の鍔部が形成された、
ことを特徴とする請求項２に記載のガス絶縁開閉装置の外部接地端子構造。
【発明の詳細な説明】
【技術分野】
【０００１】
この発明は、変電所や発電所に設置されるガス絶縁開閉装置の外部接地端子構造に関するものである。
【背景技術】
【０００２】
従来から、変電所や発電所等には、遮断器、断路器、母線電線路、避雷器、計器用変成器、作業用接地装置などを、絶縁性が高い六フッ化硫黄が充填された単一の容器内に収容したガス絶縁開閉装置が設置されることがある（特許文献１参照）。そして、このようなガス絶縁開閉装置に接続された架空送電線の張替等の工事後には、ガス絶縁開閉装置の外部接地端子を操作して、架空送電線の各相が計画どおり接続されているかどうかメガー検相されると共に、架空送電線の絶縁抵抗が測定される（特許文献２参照）。
【０００３】
図３は、従来のガス絶縁開閉装置１００の外部接地端子構造を示す図である。この図３に示すガス絶縁開閉装置１００の外部接地端子構造は、ガス絶縁開閉装置１００の容器１０１内に引き込まれた第１乃至第３の架空送電線のそれぞれに対応して設けられた第１乃至第３接地端子部１０２（絶縁抵抗測定用絶縁端子部）が容器１０１の外部に配置されている。これら第１乃至第３接地端子部１０２には、銅製の接地板１０３がボルト１０４で固定されている。そして、第１乃至第３接地端子部１０２は、接地板１０３で接続され、接地板１０３に固定されたアース線取付部１０５、及びアース線取付部１０５に接続されたアース線（図示せず）で接地（アース）されるようになっている。
【０００４】
このような図３に示すガス絶縁開閉装置１００の外部接地端子構造は、例えば、メガー検相する場合、第１乃至第３接地端子部１０２の各ボルト１０４を取り外し、接地板１０３及びアース線取付部１０５を取り外した後、メガー検相する１箇所の接地端子部１０２を除き、他の２箇所の接地端子部１０２をアース線（図示せず）を介してアースし、検相する１箇所の接地端子部１０２に絶縁抵抗計を接続するようになっている。
【先行技術文献】
【特許文献】
【０００５】
【特許文献１】特開２０１０−１５４６３０号
【特許文献２】特開昭５８−９０１８１号
【発明の概要】
【発明が解決しようとする課題】
【０００６】
しかしながら、図３に示した従来のガス絶縁開閉装置１００の外部接地端子構造は、接地板１０３及びアース線端子部１０５の取り外し時と取り付け時ごとに各接地端子部１０２に脱着されるため、ボルト１０４の螺合部からのガス（ガス絶縁開閉装置１００の容器１０１に封入された六フッ化硫黄）の漏出を防止するシール材１０６がボルト１０４の脱着の繰り返しによって損傷し、ガス絶縁開閉装置１００の容器１０１内のガスが漏出する虞がある。
【０００７】
そこで、本発明は、ガス絶縁開閉装置内のガスの漏出を防止するシール材が接地端子部のボルによって損傷させられるのを防止し、そのシール材の損傷に起因するガスの漏出を防止し得るガス絶縁開閉装置の外部接地端子構造を提供する。
【課題を解決するための手段】
【０００８】
本発明に係るガス絶縁開閉装置１の外部接地端子構造は、ガス絶縁開閉装置１の容器４内に引き込まれた第１乃至第３の架空送電線のそれぞれに対応して設けられた第１乃至第３接地端子部５が前記容器４の外部に配置されている。前記第１乃至第３接地端子部５は、これら第１乃至第３接地端子部５を接続する接地板３がボルト７で着脱可能に固定され、前記ボルト７の螺合部からのガスの漏出を防止するシール材８が配置され、前記接地板３及び前記接地板３に接続されたアース線で接地される。そして、前記接地板３は、導電性金属で形成された接地板支持体６が前記第１乃至第３接地端子部５に対応して固定手段１０によって着脱可能に固定され、前記接地板支持体６が前記ボルト７によって前記第１乃至第３接地端子部５に固定されることにより、前記接地板支持体６を介して前記第１乃至第３接地端子部５に前記ボルト７で固定されている。
【発明の効果】
【０００９】
本発明に係るガス絶縁開閉装置の外部接地端子構造によれば、架空送電線の張替工事等の後に、架空送電線のメガー検相及び絶縁抵抗の測定を行う場合、接地板支持体を接地端子部に固定するボルトが脱着されることなく、接地板を接地板支持体に固定する固定手段が取り外されるだけで、接地板が各接地板支持体から分離される。したがって、本発明に係るガス絶縁開閉装置の外部接地端子構造は、ボルトを第１乃至第３接地端子部に脱着することに起因するシール材の損傷、及びシール材の損傷に起因する容器内のガスの漏出を防止できる。
【図面の簡単な説明】
【００１０】
【図１】本発明の実施例に係るガス絶縁開閉装置の外部接地端子構造を示す図であり、図１（ａ）はガス絶縁開閉装置の外部接地端子構造の平面図、図１（ｂ）はガス絶縁開閉装置の外部接地端子構造の正面図（容器側ボルトを一部省略して示す正面図）、図１（ｃ）は図１（ａ）のＡ１方向から見たガス絶縁開閉装置の外部接地端子構造の側面図（容器側ボルトを一部省略して示す側面図）、図１（ｄ）は図１（ａ）のＡ２−Ａ２線に沿って接地板を切断して示すガス絶縁開閉装置の外部接地端子構造の側面図（容器側ボルトを一部省略して示す側面図）である。
【図２】図１に示した接地板支持体から接地板及びアース線取付部を取り外した状態のガス絶縁開閉装置の外部接地端子構造を示す図であり、図２（ａ）はガス絶縁開閉装置の外部接地端子構造を示す平面図、図２（ｂ）はガス絶縁開閉装置の外部接地端子構造を示す正面図（容器側ボルトを一部省略して示す正面図）、図２（ｃ）は図２（ａ）のＡ３方向から見たガス絶縁開閉装置の外部接地端子構造を示す側面図（容器側ボルトを一部省略して示す側面図）である。
【図３】従来例に係るガス絶縁開閉装置の外部接地端子構造を示す図であり、図３（ａ）はガス絶縁開閉装置の外部接地端子構造の平面図、図３（ｂ）はガス絶縁開閉装置の外部接地端子構造の正面図（容器側ボルトを一部省略して示す正面図）、図３（ｃ）は図３（ａ）のＡ４方向から見たガス絶縁開閉装置の外部接地端子構造の側面図（容器側ボルトを一部省略して示す側面図）、図３（ｄ）は図３（ａ）のＡ５−Ａ５線に沿って接地板を切断して示すガス絶縁開閉装置の外部接地端子構造の側面図（容器側ボルトを一部省略して示す側面図）である。
【発明を実施するための形態】
【００１１】
以下、本発明の実施例を図面に基づき詳述する。
【００１２】
図１は、本発明の実施例に係るガス絶縁開閉装置１の外部接地端子構造を示す図である。なお、図１（ａ）は、ガス絶縁開閉装置１の外部接地端子構造を示す平面図である。また、図１（ｂ）は、ガス絶縁開閉装置１の外部接地端子構造を示す正面図（容器側ボルト２を一部省略して示す正面図）である。また、図１（ｃ）は、図１（ａ）のＡ１方向から見たガス絶縁開閉装置１の外部接地端子構造を示す側面図（容器側ボルト２を一部省略して示す側面図）である。また、図１（ｄ）は、図１（ａ）のＡ２−Ａ２線に沿って接地板３を切断して示す側面図（容器側ボルト２を一部省略して示す側面図）である。
【００１３】
図１において、ガス絶縁開閉装置１は、図示しない遮断器、断路器、母線電線路、避雷器、計器用変成器、作業用接地装置などが容器４内に収容されると共に、第１乃至第３の架空送電線（図示しない各相の架空送電線）が容器４内に引き込まれ、絶縁性が高い六フッ化硫黄が容器４内に充填されている。容器４の上方の外部には、第１乃至第３の架空送電線に対応する第１乃至第３接地端子部５が配置されている。これら第１乃至第３接地端子部５には、導電性金属板で略コ字形状に形成された接地板支持体６がボルト７によって固定されている。また、これら第１乃至第３接地端子部５には、ボルト７の螺合部からのガス（六フッ化硫黄）の漏出を防止するシール材８（例えば、円環状のパッキン）が配置されている。
【００１４】
接地板支持体６は、接地端子部５にボルト７で固定される矩形形状の下辺部６ａと、この下辺部６ａに直交するように下辺部６ａの一端から立ち上がる矩形形状の脚部６ｂと、この脚部６ｂの上端から下辺部６ａと平行に延びる矩形形状の上辺部６ｃと、からなっている。なお、この図１において、接地板支持体６は、下辺部６ａが脚部６ｂの下端から前方に向かって延び、上辺部６ｃが脚部６ｂの上端から前方に向かって延びている。
【００１５】
接地板支持体６の上辺部６ｃには、導電性金属（例えば、銅）製の接地板３が固定手段（例えば、ボルト・ナット）１０で脱着可能に固定されている。その結果、第１乃至第３の接地端子部５にそれぞれボルト７で固定された第１乃至第３の接地板支持体６は、一枚の接地板３によって接続されている。なお、固定手段１０は、ボルト・ナットを例示したが、これに限られず、ボルト・ナットよりも脱着作業を効率的に行えるクリップでもよい。
【００１６】
接地板支持体６の脚部６ｂには、脚部６ｂから後方に向かって延びる導電性金属製のアース線接続軸１１が固定されている。このアース線接続軸１１は、丸棒状の軸部１１ａの先端に軸部１１ａよりも大径の鍔部１１ｂが形成されている。このようなアース線接続軸１１は、軸部１１ａにアース線（図示せず）が取り付けられた場合、アース線が軸部１１ａの先端から抜け落ちるのを鍔部１１ｂで防止することができるようになっている。
【００１７】
接地板支持体６から張り出した接地板３の先端部には、アース線取付部１２が固定されている。このアース線取付部１２は、接地板３に固定される金属板１３と、この金属板１３の表裏両面にそれぞれ固定された先端接地部材１４と、を有している。そして、一対の先端接地部材１４，１４には、それぞれアース線が接続されるようになっている。
【００１８】
このような図１に示すガス絶縁開閉装置１の外部接地端子構造において、第１乃至第３接地端子部５は、ボルト７、接地板支持体６、接地板３、アース線取付部１２、及びこのアース線取付部１２に接続されるアース線（図示せず）によって接地（アース）されるようになっている。
【００１９】
図２は、図１に示した接地板支持体６から接地板３及びアース線取付部１２を取り外した状態のガス絶縁開閉装置１の外部接地端子構造を示す図である。なお、図２（ａ）は、ガス絶縁開閉装置１の外部接地端子構造を示す平面図である。また、図２（ｂ）は、ガス絶縁開閉装置１の外部接地端子構造を示す正面図（容器側ボルト２を一部省略して示す正面図）である。また、図２（ｃ）は、図２（ａ）のＡ３方向から見たガス絶縁開閉装置１の外部接地端子構造を示す側面図（容器側ボルト２を一部省略して示す側面図）である。
【００２０】
（第１の工程）
図１に示したガス絶縁開閉装置１の外部接地端子構造は、架空送電線の張替工事等の工事を行う場合、容器４の内部に収容された図示しない断路器によって第１乃至第３の架空送電線と第１乃至第３接地端子部５とが遮断されている。しかしながら、第１乃至第３接地端子部５には、誘導電圧が生じる場合がある。そして、第１乃至第３接地端子部５に生じた誘導電圧により、作業者が感電する虞がある。そこで、架空送電線の張替工事等の工事後にメガー検相及び架空送電線の絶縁抵抗の測定を行う場合、第１乃至第３の各接地板支持体６のアース線接続軸１１にアース線を接続して、第１乃至第３接地端子部５をボルト７、接地板支持体６、アース線接続軸１１、及びアース線を介して接地（アース）する。その後、図２に示すように、第１乃至第３の各接地板支持体６に固定手段１０によって固定された接地板３、及びこの接地板３に固定されたアース線取付部１２は、固定手段１０を取り外すことにより、各接地板支持体６から分離する（図２参照）。
【００２１】
（第２の工程）
次に、例えば、第１接地端子部５のいずれか一つに対応する架空送電線のメガー検相及び絶縁抵抗の測定を行う場合には、第１接地端子部５に固定された第１の接地板支持体６のアース線接続軸１１からアース線が取り外され、第１接地端子部５に固定された第１の接地板支持体６のアース線接続軸１１に絶縁抵抗器のリード線が取り付けられる。この際、他の２箇所の接地板支持体６，６のアース線接続軸１１，１１は、アース線が接続され、他の２箇所の接地端子部５，５を接地（アース）する。
【００２２】
また、例えば、第２接地端子部５に対応する第２の架空送電線のメガー検相及び絶縁抵抗の測定を行う場合には、第２接地端子部５に固定された第２の接地板支持体６のアース線接続軸１１からアース線が取り外され、第２接地端子部５に固定された第２の接地板支持体６のアース線接続軸１１に絶縁抵抗器のリード線が取り付けられる。この際、他の２箇所の接地板支持体６，６のアース線接続軸１１，１１は、アース線が接続され、他の２箇所の接地端子部５，５を接地（アース）する。
【００２３】
また、例えば、第３接地端子部５に対応する第３の架空送電線のメガー検相及び絶縁抵抗の測定を行う場合には、第３接地端子部５に固定された第３の接地板支持体６のアース線接続軸１１からアース線が取り外され、第３接地端子部５に固定された第３の接地板支持体６のアース線接続軸１１に絶縁抵抗器のリード線が取り付けられる。この際、他の２箇所の接地板支持体６，６のアース線接続軸１１，１１は、アース線が接続され、他の２箇所の接地端子部５，５を接地（アース）する。
【００２４】
以上のように、本実施例に係るガス絶縁開閉装置１の外部接地端子構造によれば、架空送電線の張替工事等の後に、架空送電線のメガー検相及び絶縁抵抗の測定を行う場合、接地板支持体６を接地端子部５に固定するボルト７が脱着されることなく、接地板３を接地板支持体６に固定する固定手段１０が取り外されるだけで、接地板３及びアース線取付部１２が各接地板支持体６から分離される。したがって、本実施例に係るガス絶縁開閉装置１の外部接地端子構造は、ボルト７を第１乃至第３接地端子部５に脱着することに起因するシール材８の損傷、及びシール材８の損傷に起因する容器４内のガスの漏出を防止できる。
【００２５】
また、本実施例に係るガス絶縁開閉装置１の外部接地端子構造は、第１乃至第３の接地板支持体６にアース線取付軸１１が固定されているため、接地板３及びアース線取付部１２を取り外す際に、アース線取付軸１１にアース線を接続するだけで、第１乃至第３の接地板支持体６が固定された第１乃至第３接地端子部５を接地することができ、アース線の接続作業が容易である。このような本実施例に対し、従来のガス絶縁開閉装置１００の外部接地端子構造は、接地板１０３を接地端子部１０２に固定するボルト１０４が接地端子部１０２から取り外され、接地板１０３が接地端子部１０２から取り除かれた後、ボルト１０４を接地端子部１０２に螺合し、そのボルト１０４でアース線を接地端子部１０２に固定して、接地端子部１０２を接地するようになっているため、アース線の接続作業が面倒であった。
【００２６】
また、本実施例に係るガス絶縁開閉装置１の外部接地端子構造は、アース線接続軸１１の軸部１１ａの先端に鍔部１１ｂが設けられているため、アース線接続軸１１の軸部１１ａに取り付けられたアース線がアース線接続軸１１の先端から抜け落ちる（脱落する）のを防止でき、アース線の脱落に起因する感電事故を防止できる。
【符号の説明】
【００２７】
１……ガス絶縁開閉装置、３……接地板、４……容器、５……接地端子部、６……接地板支持体、７……ボルト、８……シール材、１０……固定手段
【図１】
2020124000.tif 000003
【図２】
2020124000.tif 000004
【図３】
2020124000.tif 000005